(57)【要約】【課題】第２の端末の接続先を自動的に第１の端末から自身に切り替えることができる通信装置を提供する。【解決手段】ナビゲーション装置３０は、携帯端末２０と、ウェアラブル装置１０と、の双方と無線接続する。ナビゲーション装置３０は、ウェアラブル装置１０が近づいてくると、携帯端末２０に切断命令を送信して、携帯端末２０とウェアラブル装置１０との無線接続を切断する。この切断している間に、ナビゲーション装置３０は、ウェアラブル装置１０と無線接続する。【選択図】図１
2017046158.tif 000002
【特許請求の範囲】
【請求項１】
第１の端末と、該第１の端末と無線接続可能な第２の端末と、の双方と無線接続するための接続部と、
前記第２の端末と自身との距離に基づいて、前記接続部を制御することにより、前記第１の端末に対して制御信号を送信して、前記第１の端末と前記第２の端末との無線接続を切断させる制御部と、
を備えたことを特徴とする通信装置。
【請求項２】
前記第２の端末と自身との距離に基づいて、前記第２の端末が自身に近づいてきたことを検出する接近検出部を備え、
前記制御部が、前記接近検出部の検出結果に基づいて、前記第１の端末に対して制御信号を送信して、前記第１の端末と前記第２の端末との無線接続を切断させる
ことを特徴とする請求項１に記載の通信装置。
【請求項３】
前記第２の端末は、１対１の無線接続を行い、通信相手との無線接続が切断されると自動的に通信相手を探して前記通信相手と接続する
ことを特徴とする請求項１又は２に記載の通信装置。
【請求項４】
前記制御信号は、予め定めた切断時間だけ前記第１の端末と前記第２の端末との無線接続を切断する命令である
ことを特徴とする請求項１〜３の何れか１項に記載の通信装置。
【請求項５】
前記第２の端末からの電波強度を前記第２の端末と自身との距離として検出する電波強度検出部を備えた
ことを特徴とする請求項１〜４の何れか１項に記載の通信装置。
【請求項６】
当該通信装置は、車両内に搭載され、
前記第２の端末を持ったユーザが車両に乗り込んだことを検出する乗車検出部をさらに備え、
前記制御部は、前記乗車検出部により前記ユーザが前記車両に乗り込んだことが検出されたとき、前記第１の端末に制御信号を送信して、前記第１の端末と前記第２の端末との無線接続を切断させる
ことを特徴とする請求項１〜５何れか１項に記載の通信装置。
【請求項７】
前記乗車検出部は、車両ドアの開閉、着座センサによる着座、又は、前記第２の端末と自身との距離に基づいて、前記ユーザが前記車両に乗り込んだことを検出する
ことを特徴とする請求項６に記載の通信装置。
【請求項８】
通信装置が実行する通信方法であって、
第１の端末と、該第１の端末と無線接続可能な第２の端末と、の双方と無線接続するための接続工程と、
前記第２の端末と自身との距離に基づいて、前記接続工程を制御することにより、前記第１の端末に対して制御信号を送信して、前記第１の端末と前記第２の端末との無線接続を切断させる制御工程と、
を有することを特徴とする通信方法。
【請求項９】
通信装置を制御するコンピュータが実行するプログラムであって、
第１の端末と、該第１の端末と無線接続可能な第２の端末と、の双方と無線接続するための接続部と、
前記第２の端末と自身との距離に基づいて、前記接続部を制御することにより、前記第１の端末に対して制御信号を送信して、前記第１の端末と前記第２の端末との無線接続を切断させる制御部
として前記コンピュータを機能させることを特徴とするプログラム。
【請求項１０】
請求項９に記載のプログラムが記録されていることを特徴とする記録媒体。
【発明の詳細な説明】
【技術分野】
【０００１】
本発明は、通信装置、通信方法及び通信方法を制御するためのプログラムに関するものである。
【背景技術】
【０００２】
従来、生体センサを内蔵したウェアラブル装置（第２の端末）を生体に装着することが提案されている（例えば、特許文献１）。このウェアラブル装置は、生体センサにより検出された生体情報を携帯端末などの外部機器（第１の端末）に無線送信し、生体情報を外部機器に表示・記録させることも提案されている。
【０００３】
ところで、ウェアラブル装置を装着したユーザは、生体情報を送信する外部機器を代えたい場合があった。例えば、自動車を運転するときなどは、外部機器を携帯端末から自動車内に設置されたナビゲーション装置などの車載器に代えて、車載器に生体情報を表示したい場合があった。
【０００４】
しかしながら、現在流通しているウェアラブル装置は、１対１でしか無線通信することができないものが多い。このため、従来ではユーザがウェアラブル装置を手動で操作して、接続先を携帯端末から車載器に切り替える必要があり、手間がかかる、という問題があった。
【先行技術文献】
【特許文献】
【０００５】
【特許文献１】ＷＯ２００６／０５９４５４号公報
【発明の概要】
【発明が解決しようとする課題】
【０００６】
したがって、本発明の課題は、第２の端末の接続先を自動的に第１の端末から自身に切り替えることができる通信装置、通信方法及び通信方法を制御するためのプログラムを提供することが一例として挙げられる。
【課題を解決するための手段】
【０００７】
上記課題を解決するために、請求項１に記載の通信装置は、第１の端末と、該第１の端末と無線接続可能な第２の端末と、の双方と無線接続するための接続部と、前記第２の端末と自身との距離に基づいて、前記接続部を制御することにより、前記第１の端末に対して制御信号を送信して、前記第１の端末と前記第２の端末との無線接続を切断させる制御部と、を備えたことを特徴とする。
【０００８】
また、請求項８に記載の通信方法は、通信装置が実行する通信方法であって、第１の端末と、該第１の端末と無線接続可能な第２の端末と、の双方と無線接続するための接続工程と、前記第２の端末と自身との距離に基づいて、前記接続工程を制御することにより、前記第１の端末に対して制御信号を送信して、前記第１の端末と前記第２の端末との無線接続を切断させる制御工程と、を有することを特徴とする。
【０００９】
また、請求項９に記載のプログラムは、通信装置を制御するコンピュータが実行するプログラムであって、第１の端末と、該第１の端末と無線接続可能な第２の端末と、の双方と無線接続するための接続部と、前記第２の端末と自身との距離に基づいて、前記接続部を制御することにより、前記第１の端末に対して制御信号を送信して、前記第１の端末と前記第２の端末との無線接続を切断させる制御部として前記コンピュータを機能させることを特徴とする。
【００１０】
また、請求項１０に記載の記録媒体は、請求項９に記載のプログラムが記録されていることを特徴とする。
【図面の簡単な説明】
【００１１】
【図１】本発明の通信装置としてのナビゲーション装置を組み込んだ通信システムの一実施例を示すブロック図である。
【図２】図１の通信システムを構成するナビゲーション装置の概略を示すブロック図である。
【図３】図１に示すナビゲーション装置の優先登録処理を示すフローチャートである。
【図４】図１に示す携帯端末の紐付け処理を示すフローチャートである。
【図５】図１に示すナビゲーション装置の接続処理と、図１に示す携帯端末の切断処理と、を示すフローチャートである。
【発明を実施するための形態】
【００１２】
以下、本発明の一実施形態にかかる通信装置を説明する。本発明の一実施形態にかかる通信装置は、第１の端末と、該第１の端末と無線接続可能な第２の端末と、の双方と無線接続するための接続部と、第２の端末と自身との距離に基づいて、接続部を制御することにより、第１の端末に対して制御信号を送信して、第１の端末と第２の端末との無線接続を切断させる制御部と、を備えている。
【００１３】
これにより、第２の端末と通信装置との距離に基づいて、自動的に第１の端末と第２の端末との無線接続を切断することができる。そして、切断している間に、第２の端末と通信装置自身とが無線接続するため、第２の端末の接続先を自動的に第１の端末から自身に切り替えることができる。このため、手動で第２の端末の接続先を切り替える必要をなくすことができる。
【００１４】
また、第２の端末と自身との距離に基づいて、第２の端末が自身に近づいてきたことを検出する接近検出部を備え、制御部が、接近検出部の検出結果に基づいて、第１の端末に対して制御信号を送信して、第１の端末と第２の端末との無線接続を切断させるようにしてもよい。これにより、第２の端末が通信装置自身に近づくと自動的に第２の端末の接続先を第１の端末から通信装置に切り替えることができる。
【００１５】
また、第２の端末は、１対１の無線接続を行い、通信相手との無線接続が切断されると自動的に通信相手を探して通信相手と接続するようにしてもよい。これにより、第２の端末は、第１の端末との無線接続が切断されると、自動的に通信相手を探して通信装置と接続する。
【００１６】
また、制御信号は、予め定めた切断時間だけ第１の端末と第２の端末との無線接続を切断する命令であってもよい。これにより、第１の端末は、予め定めた切断時間だけ第２の端末との無線接続を切断した後、再び第２の端末と無線接続できる状態になるため、第２の端末が通信装置から離れるなどして第２の端末と通信装置との通信が切断されると、第２の端末が、自動的に通信相手を探して第１の端末と接続する。
【００１７】
また、第２の端末からの電波強度を第２の端末と自身との距離として検出する電波強度検出部を備えていてもよい。これにより、電波強度により簡単に第２の端末と通信装置自身との距離を検出できる。
【００１８】
また、通信装置は、車両内に搭載され、第２の端末を持ったユーザが車両に乗り込んだことを検出する乗車検出部をさらに備え、制御部は、乗車検出部によりユーザが車両に乗り込んだことが検出されたとき、第１の端末に制御信号を送信して、第１の端末と第２の端末との無線接続を切断させるようにしてもよい。これにより、第２の端末を持ったユーザが車両に乗り込んできたときに自動的に第２の端末の接続先を第１の端末から通信装置に切り替えることができる。
【００１９】
また、乗車検出部は、車両ドアの開閉、着座センサによる着座、又は、第２の端末と自身との距離に基づいて、ユーザが車両に乗り込んだことを検出するようにしてもよい。これにより、正確に第２の端末を持ったユーザが車両に乗り込んできたことを検出できる。
【００２０】
また、本発明の他の一実施形態では、通信装置が実行する通信方法は、第１の端末と、該第１の端末と無線接続可能な第２の端末と、の双方と無線接続するための接続工程と、第２の端末と自身との距離に基づいて、接続工程を制御することにより、第１の端末に対して制御信号を送信して、第１の端末と第２の端末との無線接続を切断させる制御工程と、を実行する。
【００２１】
これにより、第２の端末と通信装置との距離に基づいて、自動的に第１の端末と第２の端末との無線接続を切断することができる。そして、切断している間に、第２の端末と通信装置自身とが無線接続するため、第２の端末の接続先を自動的に第１の端末から自身に切り替えることができる。このため、手動で第２の端末の接続先を切り替える必要をなくすことができる。
【００２２】
また、本発明の他の一実施形態では、コンピュータが実行するプログラムは、第１の端末と、該第１の端末と無線接続可能な第２の端末と、の双方と無線接続するための接続部と、第２の端末と自身との距離に基づいて、接続部を制御することにより、第１の端末に対して制御信号を送信して、第１の端末と第２の端末との無線接続を切断させる制御部としてコンピュータを機能させる。このプログラムは、好適には記録媒体に記録される。
【００２３】
これにより、第２の端末と通信装置との距離に基づいて、自動的に第１の端末と第２の端末との無線接続を切断することができる。そして、切断している間に、第２の端末と通信装置自身とが無線接続するため、第２の端末の接続先を自動的に第１の端末から自身に切り替えることができる。このため、手動で第２の端末の接続先を切り替える必要をなくすことができる。
【実施例】
【００２４】
以下、本発明の実施例について具体的に説明する。図１は、本発明の通信装置としてのナビゲーション装置３０を組み込んだ通信システム１の一実施例を示すブロック図である。図２は、図１の通信システム１を構成するナビゲーション装置３０の概略を示すブロック図である。
【００２５】
図１に示すように、通信システム１は、第２の端末としてのウェアラブル装置１０と、第１の端末としての携帯端末２０と、ナビゲーション装置３０と、を備えている。
【００２６】
ウェアラブル装置１０は、ユーザに装着される装置である。ウェアラブル装置１０は、生体センサ１１、無線接続するための接続部１２及び制御部１３から構成される装置本体（図示せず）と、装置本体をユーザに装着するためのバンドなどの装着部（図示せず）と、を備えている。
【００２７】
生体センサ１１は、ユーザの心拍数や血圧、発汗量、精神的なストレス等の生体情報を測定するセンサである。接続部１２は、例えばＢＴ(Bluetooth（登録商標）)モジュールから構成され、携帯端末２０やナビゲーション装置３０などの外部端末と無線接続できるようになっている。
【００２８】
制御部１３は、マイクロコンピュータから構成され、ウェアラブル装置１０全体の制御を司る。制御部１３は、接続部１２を制御して、携帯端末２０やナビゲーション装置３０などのマスター機器のうち１台のみと無線接続し、マスター機器の命令に応じて例えば生体センサ１１により測定した生体情報をマスター機器に送信する。つまり、ウェアラブル装置１０は、１対１の無線接続しか行うことができず、同時に複数台のマスター機器と無線接続を行うことができない装置である。
【００２９】
また、制御部１３は、通信相手（マスター機器）との無線接続が切断されると自動的に通信相手を探し最初に電波を受信した通信相手と無線接続する。尚、自動接続できる通信相手は、予めマスター機器として登録された相手だけである。
【００３０】
携帯端末２０は、例えばスマートフォンやタブレットなどから構成されている。携帯端末２０は、メモリ２１、表示部２２、接続部２３及び制御部２４などから構成されている。接続部２３は、例えばＢＴモジュールから構成され、ウェアラブル装置１０やナビゲーション装置３０と無線接続できるようになっている。
【００３１】
制御部２４は、マイクロコンピュータから構成され、携帯端末２０全体の制御を司る。制御部２４は、携帯端末２０にインストールされたウェアラブル接続アプリケーション（以下「アプリ」と略記）のプログラムに従って動作し、接続部２３を制御してウェアラブル装置１０と無線接続すると、定期的に生体情報の要求命令を送信する。制御部２４は、ウェアラブル装置１０から生体情報を受信すると、受信した生体情報を表示部２２に表示すると共にメモリ２１内に記録する。
【００３２】
また、制御部２４は、携帯端末２０にインストールされた切断アプリのプログラムに従って動作し、ナビゲーション装置３０からの切断命令（制御信号）を受信すると、接続部２３を制御して無線接続を切断する。つまり、携帯端末２０は、同時にウェアラブル装置１０、後述するナビゲーション装置３０と無線接続することができる。
【００３３】
ナビゲーション装置３０は、図２に示すように、車両に搭載されて経路案内するものであって、制御部３１と、ＧＰＳ受信部３２と、記憶部３３と、操作部３４と、表示部３５と、音声出力部３６と、接続部３７と、を備えている。
【００３４】
制御部３１は、例えばＲＡＭ（Random Access Memory）やＲＯＭ（Read Only Memory）などのメモリを備えたＣＰＵ（Central Processing Unit）で構成され、ナビゲーション装置３０の全体制御を司る。制御部３１は、後述する表示部３５及び音声出力部３６を制御して目的地までの経路を案内する。また、制御部３１は、後述する接続部３７を制御して、ウェアラブル装置１０や携帯端末２０との無線通信を制御する。
【００３５】
ＧＰＳ受信部３２は、公知であるように複数のＧＰＳ（Global Positioning System）衛星から発信される電波を受信して、現在の位置情報を求めて制御部３１に出力する。なお、本実施例では、ＧＰＳ受信部３２がナビゲーション装置３０に一体に設けられている例を示すが、ＧＰＳ受信部３２が別体として構成され、ナビゲーション装置３０と着脱自在になっていてもよい。
【００３６】
記憶部３３は、例えばハードディスクや不揮発性メモリなどで構成され、制御部３１からの制御により読み書きがなされ、例えば経路検索および表示部３５に表示するための地図データや、ウェアラブル装置１０から送信される生体情報などが格納される。
【００３７】
操作部３４は、ボタンやタッチパネルなどの入力部やマイクなどの音声入力部で構成されている。操作部３４は、ナビゲーション装置３０の各種入力操作が行われ、入力操作を示す操作信号が制御部３１に出力される。
【００３８】
表示部３５は、液晶ディスプレイや該液晶ディスプレイを制御するドライバ回路等から構成される。表示部３５は、制御部３１の制御により、液晶ディスプレイに案内経路情報や、生体情報などを表示する。
【００３９】
音声出力部３６は、スピーカおよびスピーカを駆動するアンプ等から構成され、制御部３１の制御により音声が出力される。
【００４０】
接続部３７は、例えばＢＴモジュールから構成され、ウェアラブル装置１０や携帯端末２０と無線接続できるようになっている。また、接続部３７は、ウェアラブル装置１０や携帯端末２０などから受信した電波の強度を検出する電波強度検出部を内蔵し、検出した電波強度を制御部３１に対して出力する。
【００４１】
次に、上述した構成の通信システム１の動作について図３〜図５のフローチャートを参照して以下説明する。ここでは、一例としてナビゲーション装置３０の接続部３７がＢＴモジュールから構成されているものとする。まず、ユーザは、ナビゲーション装置３０と、ウェアラブル装置１０及び携帯端末２０と、が無線接続できるようにＢＴ初期登録を行う。即ち、ナビゲーション装置３０の記憶部３３に、ウェアラブル装置１０、携帯端末２０の識別情報（ＩＤ）をスレーブ機器として記録させる。また、ウェアラブル装置１０の図示しないメモリ、携帯端末２０のメモリ２１にそれぞれ、ナビゲーション装置３０のＩＤをマスター機器として記録させる。
【００４２】
このＢＴ初期登録は一般的なペアリングの手順に従って行えばよく、例えば、ナビゲーション装置３０、ウェアラブル装置１０及び携帯端末２０をユーザが操作して、それぞれをペアリングモードにすると、自動的にＩＤを交換して登録が行われる。このＢＴ初期登録が行われると、ナビゲーション装置３０と、ウェアラブル装置１０及び携帯端末２０と、は互いに通信可能なエリア内にあれば自動的に無線接続できる。
【００４３】
次に、ユーザは、ナビゲーション装置３０を操作して、ウェアラブル装置１０のＩＤを、接続を優先する優先装置として登録する優先登録を行う。まず、上記ＢＴ初期登録を実施した後、ナビゲーション装置３０とウェアラブル装置１０とを無線接続しておく。この状態で、ユーザはナビゲーション装置３０の操作部３４を操作して、ナビゲーション装置３０の制御部３１に図３に示す優先登録処理を実行させる。
【００４４】
優先登録処理において、制御部３１は、表示部３５に無線接続されている装置のＩＤを表示する（ステップＳ１１）。その後、ユーザがナビゲーション装置３０の操作部３４を操作して、優先装置として登録したいウェアラブル装置１０のＩＤを選択すると（ステップＳ１２でＹ）、制御部３１はその選択したＩＤを優先装置として記憶部３３内に記憶した後（ステップＳ１３）、処理を終了する。
【００４５】
また、ユーザは、携帯端末２０に予め切断アプリをインストールしておく。そして、ユーザは、携帯端末２０を操作して、ナビゲーション装置３０のＩＤを切断アプリに紐付ける。まず、上記初期登録を実施した後、ナビゲーション装置３０と携帯端末２０とを無線接続しておく。この状態で、ユーザは携帯端末２０を操作して、携帯端末２０にインストールされた切断アプリを立ち上げる。
【００４６】
その後、ユーザは、携帯端末２０を操作して、切断アプリの図４に示す紐付け処理を実行させる。制御部２４は、表示部２２に無線接続されている装置のＩＤを表示する（ステップＳ２１）。その後、ユーザが携帯端末２０を操作して、紐付けたいナビゲーション装置３０のＩＤを選択すると（ステップＳ２２でＹ）、制御部２４は、その選択したＩＤを切断アプリに紐づく装置としてメモリ２１内に記憶する（ステップＳ２３）。その後、制御部２４は、後述する切断アプリの切断処理を実行させた後、紐付け処理を終了する。
【００４７】
上記ウェアラブル装置１０と携帯端末２０とは、互いにペアリングされている。ウェアラブル装置１０はユーザに装着され、車両外にいるときはウェアラブル装置１０と携帯端末２０とが無線接続され、定期的にウェアラブル装置１０から携帯端末２０に生体情報が送信されている。この生体情報には、ウェアラブル装置１０のＩＤも付加されている。
【００４８】
ウェアラブル装置１０と無線接続されている間、携帯端末２０は、切断アプリが立ち上がっており、図５に示す切断処理が実行されている。切断処理において、携帯端末２０の制御部２４は、切断アプリに紐付けされたナビゲーション装置３０からの切断命令が受信されない間（ステップＳ４２でＮ）、切断命令の待ち状態となっている（ステップＳ４１）。切断命令の待ち状態では、携帯端末２０はウェアラブル装置１０との無線接続を維持している。
【００４９】
一方、車両内のナビゲーション装置３０の制御部３１は、図５に示すような接続処理を常時実行している。まず、制御部３１は、優先装置として登録されたウェアラブル装置１０から送信された電波を受信するまで（ステップＳ３２でＹ）、接続部３７が受信した電波を監視している（ステップＳ３１）。ウェアラブル装置１０を装着し、携帯端末２０を持ったユーザが、車両に乗り込むためにナビゲーション装置３０の接続部３７の通信エリア内に入ると、ナビゲーション装置３０と携帯端末２０とは無線接続する。一方、ウェアラブル装置１０は、既に携帯端末２０と無線接続されているため、ナビゲーション装置３０とは無線接続できないが、ナビゲーション装置３０の接続部３７は、ウェアラブル装置１０から送信されている電波は受信できる。
【００５０】
このとき、ナビゲーション装置３０の制御部３１は、受信した電波に含まれるウェアラブル装置１０のＩＤから優先装置として登録されたウェアラブル装置１０からの電波を受信したと判断して（ステップＳ３２でＹ）、接続部３７を制御して携帯端末２０に対して切断命令を送信する（ステップＳ３３）。この切断命令には、ナビゲーション装置３０のＩＤ、切断時間が含まれている。
【００５１】
携帯端末２０の制御部２４は、紐付けされたナビゲーション装置３０からの切断命令を受信すると（ステップＳ４２でＹ）、接続部２３を制御して、切断命令に含まれる切断時間だけ無線接続を切断した後（ステップＳ４３）、ステップＳ４１に戻る。ステップＳ４３において、制御部２４は、無線接続されている全ての装置との無線接続を切断してもよいし、ウェアラブル装置１０を優先装置として事前に登録している場合など、ウェアラブル装置１０との無線接続のみを切断するようにしてもよい。
【００５２】
ウェアラブル装置１０は、携帯端末２０との無線接続が切断されると自動的に通信相手を探す。ナビゲーション装置３０の制御部３１は、切断命令を送信した後（ステップＳ３３）、ウェアラブル装置１０に対して接続要求を送信している（ステップＳ３４）。ウェアラブル装置１０は、このナビゲーション装置３０からの接続要求を受信し、ナビゲーション装置３０と無線接続する。そして、ウェアラブル装置１０は、ナビゲーション装置３０からの命令に応じて、生体情報を送信する。
【００５３】
ナビゲーション装置３０は、生体情報を受信すると、表示部３５に表示したり、記憶部３３に記憶したりする。また、ナビゲーション装置３０は、生体情報に基づいて経路検索を行うようにしてもよい。
【００５４】
上述した実施例によれば、ナビゲーション装置３０の制御部３１が、ウェアラブル装置１０の電波を受信したとき、つまり、ナビゲーション装置３０とウェアラブル装置１０との距離が通信可能な距離であったとき、自動的に携帯端末２０に切断命令を送信して、携帯端末２０とウェアラブル装置１０との無線接続を切断することができる。そして、切断している間にウェアラブル装置１０とナビゲーション装置３０とが無線接続するために、ウェアラブル装置１０の接続先を自動的に携帯端末２０からナビゲーション装置３０に切り替えることができる。このため、手動でウェアラブル装置１０の接続先を切り替える必要をなくすことができる。
【００５５】
また、上述した実施例によれば、ウェアラブル装置１０は、１対１の無線接続を行い、通信相手との無線接続が切断されると自動的に通信相手を探して通信相手と接続する。これにより、ウェアラブル装置１０は、携帯端末２０との無線接続が切断されると、自動的に通信相手を探してナビゲーション装置３０と接続する。
【００５６】
また、上述した実施例によれば、切断命令は、予め定めた切断時間だけ携帯端末２０とウェアラブル装置１０との無線接続を切断する命令である。これにより、携帯端末２０は、予め定めた切断時間だけウェアラブル装置１０との無線接続を切断した後、再びウェアラブル装置１０と無線接続できる状態になるため、ウェアラブル装置１０がナビゲーション装置３０から離れるなどしてウェアラブル装置１０とナビゲーション装置３０との無線接続が切断されると、ウェアラブル装置１０が、自動的に通信相手を探して再び携帯端末２０と接続する。
【００５７】
なお、上述した実施例によれば、ウェアラブル装置１０とナビゲーション装置３０との距離が通信エリア内にあったときに、ナビゲーション装置３０が切断命令を送信していたが、これに限ったものではない。例えば、ナビゲーション装置３０の制御部３１は、接近検出部として働き、接続部３７からのウェアラブル装置１０の電波強度（ウェアラブル装置１０とナビゲーション装置３０との距離に応じている）を取り込んで、ウェアラブル装置１０が近づいているか否かを検出する。
【００５８】
そして、制御部３１は、接近検出結果に基づいて、携帯端末２０に対して切断命令を送信させて、ウェアラブル装置１０と携帯端末２０との無線接続を切断させるようにしてもよい。接近検出結果に基づいてとは、単にウェアラブル装置１０が近づいてきたことを検出したとき、制御部３１が、切断命令を送信させるようにしてもよいし、制御部３１が切断命令を送信するか否かの判断の１つとして、接近検出結果を用いればよい。これにより、ウェアラブル装置１０がナビゲーション装置３０に近づくと自動的にウェアラブル装置１０の接続先を携帯端末２０からナビゲーション装置３０に切り替えることができる。
【００５９】
また、制御部３１は、乗車検出部として働き、ウェアラブル装置１０を装着したユーザが車両に乗り込んだことを検出し、ユーザが車両に乗り込んだことが検出されたときに、切断命令を送信するようにしてもよい。これにより、ウェアラブル装置１０を持ったユーザが車両に乗り込んできたときに自動的にウェアラブル装置１０の接続先を携帯端末２０からナビゲーション装置３０に切り替えることができる。
【００６０】
また、この乗車検出の一例としては、以下のようなものが考えられる。例えば、制御部３１が、上記接近検出によりウェアラブル装置１０の接近が検出されているときに、車両ドアの開閉、着座センサによる着座が検出されたときに、ユーザが車両に乗り込んだことを検出するようにしてもよい。また、電波強度から、ウェアラブル装置１０との距離が所定範囲内にあるときに、ユーザが車両に乗り込んだことを検出するようにしてもよい。これにより、正確にウェアラブル装置１０を持ったユーザが車両に乗り込んできたことを検出できる。
【００６１】
また、上述した実施形態では、第１の端末をスマートフォンやタブレットなどの携帯端末２０として説明していたが、これに限ったものではない。第１の端末は、第２の端末（ウェアラブル装置１０）、通信装置（ナビゲーション装置３０）と無線接続できるような端末であればよい。
【００６２】
また、上述した実施形態では、第２の端末をウェアラブル装置１０として説明していたが、これに限ったものではない。第２の端末は、第１の端末（携帯端末２０）、通信装置（ナビゲーション装置）と無線接続できるような端末であればよい。
【００６３】
また、上述した実施形態では、通信装置をナビゲーション装置３０として説明していたが、これに限ったものではない。通信装置としては、車両に搭載された別の車載器であってもよい。また、通信装置としては、車両に搭載されていることも必須ではない。例えば、通信装置として、第１の端末とは別のスマートフォンやタブレットであってもよい。
【００６４】
また、上述した実施形態では、ナビゲーション装置３０の接続部３７は、ＢＴモジュールのみから構成され、ウェアラブル装置１０と携帯端末２０との双方とＢＴ通信を行っていたが、これに限ったものではない。接続部としては、互いに異なる通信方式で通信できる２つのモジュールから構成されていてもよく（例えばＢＴモジュールと、Ｗｉ−ｆｉモジュール通信部）、ウェアラブル装置１０と携帯端末２０とでそれぞれ別々の通信方式で通信を行うようにしてもよい。
【００６５】
また、上述した実施形態によれば、ウェアラブル装置１０としては、生体センサ１１を内蔵していて、生体情報を送信していたが、これに限ったものではない。送信する情報は、どんな情報でもよく、例えば周辺の環境情報やＧＰＳ情報などであってもよい。
【００６６】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００６７】
１０  ウェアラブル装置（第２の端末）
２０  携帯端末（第１の端末）
３０  ナビゲーション装置（通信装置）
３１  制御部（接近検出部、乗車検出部）
３７  接続部
【図１】
2017046158.tif 000003
【図２】
2017046158.tif 000004
【図３】
2017046158.tif 000005
【図４】
2017046158.tif 000006
【図５】
2017046158.tif 000007